(57)【特許請求の範囲】
【請求項１】
上下に対峙する一対の架台の間に弾性変形可能な複数の緩衝材を介在し、隣接する上記緩衝材間の隙間にリフト用フォークが差し込み可能な制振パレットであって、
上記緩衝材は、ゴム製部材にて形成されると共に、筒状本体の両開口端に、該筒状本体と一体に形成された外向きフランジを有し、この外向きフランジに取付孔が設けられると共に、該取付孔に金属製カラーが嵌挿され、該金属製カラーは固定ねじ部材が貫通可能に形成され、
上記架台は、該架台の周辺を構成する外側デッキ材と、対向する上記外側デッキ材に連結される少なくとも一つの内側デッキ材とを断面中空矩形状の形材にて形成され、上記外側デッキ材および内側デッキ材の中空部内に上記固定ねじ部材がねじ結合する受け座を配置してなる、
ことを特徴とする制振パレット。
【請求項２】
請求項１記載の制振パレットにおいて、
上記受け座に上記緩衝材の筒状本体の開口部と連通可能な開口孔を設け、上記外側デッキ材および内側デッキ材における上記緩衝材と上記受け座との間における部分に上記開口部と開口孔とを連通する空気流通孔を設けてなる、ことを特徴とする制振パレット。
【請求項３】
請求項１又は２に記載の制振パレットにおいて、
上記架台および金属製カラーをアルミニウム製部材にて形成し、上記固定ねじ部材をステンレス鋼製部材にて形成してなる、ことを特徴とする制振パレット。
【発明の詳細な説明】
【技術分野】
【０００１】
この発明は、例えば重量のある物品等の貨物を運搬する際の貨物への振動を低減する制振パレットに関するものである。
【背景技術】
【０００２】
一般に、重量のある物品等の貨物をフォークリフトによって格納・運搬するためにパレットが使用されている。従来のこの種のパレットとして、貨物を載置する上架台と床面に設置される下架台との間に、貨物への振動を低減する防振素子（緩衝材）を介設した制振パレットが知られている（例えば、特許文献１参照）。
【０００３】
特許文献１記載のものは、上架台と下架台の間に介在される防振部材は弾性変形する弾性部を有している。上記弾性部は、リング状ゴム部材と円板状の仕切板とが交互に配置して積層された構造を有しており、弾性部の上端は上架台に対して略矩形板状のブラケットを介してボルトにより締結固定され、下端は下架台に固着された箱状ベース部の天板部にボルトにより締結固定されている。
【０００４】
また、上記防振部材と同様に振動を低減（吸収）する機能を有する部材として、円筒状本体の両端にフランジを一体に形成したゴム製の変位吸収体が知られている（例えば、特許文献２参照）。
【０００５】
特許文献２に記載のものは、断面クランク状の固定金具をフランジの両側から挟み込むようにして、ボルトにより架台の下面と床面の上面に締結固定する構造である。
【先行技術文献】
【特許文献】
【０００６】
【特許文献１】特開２００７−２２６０４号公報（段落００３２〜００３４、図５，図６）
【特許文献２】実開平６−８２４４９号公報（図７〜図９）
【発明の概要】
【発明が解決しようとする課題】
【０００７】
しかしながら、特許文献１に記載のものは、防振素子（緩衝材）の弾性部がリング状ゴム部材と円板状の仕切板とが交互に配置して積層した構造であるため、構造が複雑な上、弾性部の上端および下端をそれぞれ上架台および下架台に対して略矩形板状のブラケットや箱状ベース部を介してボルトにより締結固定するため、上架台および下架台と防振部材の組付けが面倒である。
【０００８】
上記特許文献１に記載の防振素子（緩衝材）に代えて構造が簡単な特許文献２に記載の変位吸収体を適用することも考えられる。しかし、特許文献２に記載の変位吸収体は円筒状本体の両端にフランジを一体に形成したゴム製部材であるため、強度を持たせるためには、上架台と下架台に直接取り付けることはできず、上架台と下架台に取り付けるためには、断面クランク状の固定金具を変位吸収体のフランジの両側から挟み込むようにして、ボルトにより上架台の下面と下架台の上面に締結固定する必要がある。したがって、取付（組付け）のための構成部材が多くなると共に、組付けが面倒であるという懸念がある。
【０００９】
この発明は、上記事情に鑑みてなされたもので、架台と緩衝材との取付（組付け）を容易にすると共に、取付部（組付け部）に強度を持たせるようにした制振パレットを提供することを目的とする。
【課題を解決するための手段】
【００１０】
上記課題を解決するために、この発明は、上下に対峙する一対の架台の間に弾性変形可能な複数の緩衝材を介在し、隣接する上記緩衝材間の隙間にリフト用フォークが差し込み可能な制振パレットであって、上記緩衝材は、ゴム製部材にて形成されると共に、筒状本体の両開口端に、該筒状本体と一体に形成された外向きフランジを有し、この外向きフランジに取付孔が設けられると共に、該取付孔に金属製カラーが嵌挿され、該金属製カラーは固定ねじ部材が貫通可能に形成され、上記架台は、該架台の周辺を構成する外側デッキ材と、対向する上記外側デッキ材に連結される少なくとも一つの内側デッキ材とを断面中空矩形状の形材にて形成され、上記外側デッキ材および内側デッキ材の中空部内に上記固定ねじ部材がねじ結合する受け座を配置してなる、ことを特徴とする（請求項１）。
【００１１】
このように構成することにより、緩衝材の外向きフランジに設けられた取付孔に金属製カラーを嵌挿した状態で固定ねじ部材によって緩衝材と架台とを締結固定することができる。また、架台を軽量にすることができると共に、固定ねじ部材と架台との結合を強固にすることができる。
【００１２】
この発明において、上記受け座に上記緩衝材の筒状本体の開口部と連通可能な開口孔を設け、上記外側デッキ材および内側デッキ材における上記緩衝材と上記受け座との間における部分に上記開口部と開口孔とを連通する空気流通孔を設けるのが好ましい（請求項２）。
【００１３】
このように構成することにより、上記受け座に上記緩衝材の筒状本体の開口部と連通可能な開口孔を設け、上記外側デッキ材および内側デッキ材における上記緩衝材と上記受け座との間における部分に上記開口部と開口孔とを連通する空気流通孔を設けることにより、緩衝材が弾性変形する際の緩衝材の筒状本体内と外側および内側デッキ材の中空部内の空気の出入りを可能にすることができ、緩衝材にクッション性を持たせることができる。
【００１４】
加えて、この発明において、上記架台および金属製カラーをアルミニウム製部材にて形成し、上記固定ねじ部材をステンレス鋼製部材にて形成するのが好ましい。
【００１５】
このように構成することにより、架台自体および架台と緩衝材の取付部に耐食性を持たせることができる。
【発明の効果】
【００１６】
この発明によれば、上記のように構成されているので、以下のような顕著な効果が得られる。
【００１７】
（１）請求項１記載の発明によれば、緩衝材の外向きフランジに設けられた取付孔に金属製カラーを嵌挿した状態で固定ねじ部材によって緩衝材と架台とを締結固定することができるので、架台と緩衝材との取付（組付け）を容易にすると共に、取付部（組付け）に強度を持たせることができる。
【００１８】
（２）また、請求項１記載の発明によれば、架台を軽量にすることができると共に、固定ねじ部材と架台との結合を強固にすることができるので、上記（１）に加えて、更にパレットの軽量化が図れる。
【００１９】
（３）請求項２記載の発明によれば、緩衝材が弾性変形する際の緩衝材の筒状本体内と外側および内側デッキ材の中空部内の空気の出入りを可能にすることができ、緩衝材にクッション性を持たせることができるので、緩衝材の弾性変形に伴う防振効果を高めることができる。
【００２０】
（４）請求項３記載の発明によれば、架台自体および架台と緩衝材の取付部に耐食性を持たせることができるので、パレットに耐食性を持たせることができると共に、寿命の増大を図ることができる。
【図面の簡単な説明】
【００２１】
【図１】この発明に係る制振パレットの概略平面図である。
【図２】図１の側面図（ａ）および（ａ）のＩ部拡大断面図（ｂ）である。
【図３】この発明における上架台と緩衝材の取付部を示す分解断面図である。
【図４】図１のII−II線に沿う拡大断面図であるである。
【図５】図１のIII−III線に沿う拡大断面図（ａ）および（ａ）のIV部拡大断面図（ｂ）である。
【図６】この発明における緩衝材とカラーを示す断面斜視図である。
【図７】この発明におけるデッキ材と受け座の取付部を示す断面図（ａ）および（ａ）の底面図（ｂ）である。
【図８】この発明における受け座と固定ボルトを示す斜視図である。
【図９Ａ】この発明における緩衝材の取付孔の別の形態を示す平断面図（ａ）およびカラーの別の形態を示す平断面図（ｂ）である。
【図９Ｂ】この発明における緩衝材の取付孔の更に別の形態を示す縦断面図（ａ）およびカラーの更に別の形態を示す縦断面図（ｂ）である。
【図１０】この発明に係る制振パレットの別の実施形態を示す要部拡大断面図である。
【発明を実施するための形態】
【００２２】
以下に、この発明に係る制振パレットの実施形態を添付図面に基づいて詳細に説明する。
【００２３】
この発明に係る制振パレットは、図１および図２に示すように、上下に対峙する一対の架台すなわち上架台１１と下架台１２の間に弾性変形可能な複数の可撓性を有する緩衝材２０を介在し、隣接する緩衝材２０間の隙間ｓにリフト用フォークが差し込み可能に形成されている。
【００２４】
この場合、上記緩衝材２０は例えば、天然ゴムあるいはクロロプレンゴム等のゴム製部材にて形成されており、図４〜図６に示すように、例えば円形の筒状本体２１の両開口端に矩形状の外向きフランジ２２を有し、この外向きフランジ２２の角部の４箇所に取付孔２３が設けられている。
【００２５】
また、取付孔２３には例えばアルミニウム製のカラー３０が嵌挿されると共に、カラー３０を貫通する固定ねじ部材である例えばステンレス鋼製の固定ボルト５０が後述する上架台１１又は下架台１２の中空部１６内に配置される受け座４０にねじ結合されている（図２（ｂ）参照）。
【００２６】
上記上架台１１と下架台１２は同様に矩形状に形成されている。ここでは、上架台１１を代表して上架台１１と下架台１２の構造について説明する。上架台１１は、図１に示すように、周辺の４辺を構成する４個の外側デッキ材１３と、一方の対向する外側デッキ材１３の中間部同士を連結する第１の内側デッキ材１４と、第１の内側デッキ材１４と平行に並設されて上記対向する外側デッキ材１３同士を連結する複数（図面では６個の場合を示す）の第２の内側デッキ材１５とをそれぞれ溶接によって固定してなる。
【００２７】
この場合、外側デッキ材１３と第１の内側デッキ材１４は、図４および図５に示すように断面が中空矩形状のアルミニウム製押出形材にて形成されている。また、第２の内側デッキ材１５は、図５に示すように、仕切壁１５ａによって区画された複数の矩形状中空部１５ｂを有する扁平矩形状のアルミニウム製押出形材にて形成されている。また、第２の内側デッキ材１５の表面には適宜間隔をおいて滑り止め用の突条１５ｃが設けられている（図５（ｂ）参照）。
【００２８】
上記受け座４０は、図８に示すように、例えばアルミニウム製の矩形板材にて形成されており、その角部の４箇所には、固定ボルト５０がねじ結合する固定用ねじ孔４１が設けられている。また、受け座４０の対向する２辺の内方の中間部には、受け座４０を外側デッキ材１３および第１の内側デッキ材１４の中空部１６内に固定する取付ねじ６０がねじ結合する取付用ねじ孔４２が設けられている。
【００２９】
なお、受け座４０の中心部には、緩衝材２０の筒状本体２１に設けられた開口部２１ａに連通可能なセンター孔４３（以下に開口孔４３という）が設けられている。この開口孔４３は、外側デッキ材１３および第１の内側デッキ材１４における緩衝材２０と受け座４０との間における部分に設けられた空気流通孔４４を介して緩衝材２０の開口部２１ａと連通している。なお、図４および図５では、上架台１１と下架台１２の両方に空気流通孔４４を設ける場合について説明したが、上架台１１と下架台１２のいずれか一方に空気流通孔４４を設けてもよい。
【００３０】
上記のように形成される受け座４０は、図１に示すように、対向する一方の外側デッキ材１３の中空部１６における両端部と中間部と、対向する他方の外側デッキ材１３の中空部１６における中間部および第１の内側デッキ材１４の中空部１６における中間部に配置される。この際、図７に示すように、受け座４０は、外側デッキ材１３および第１の内側デッキ材１４に設けられた取付孔１７を貫通する取付ねじ６０を取付用ねじ孔４２にねじ結合することによって外側デッキ材１３および第１の内側デッキ材１４に固定される。この場合、取付用ねじ孔４２の開口端は拡径テーパ状に形成されており、取付ねじ６０は皿小ねじにて形成されている。また、外側デッキ材１３および第１の内側デッキ材１４における受け座４０の固定用ねじ孔４１が位置する部位には貫通孔１８が設けられている。
【００３１】
上記上架台１１および下架台１２と緩衝材２０とを取り付けるには、図３の二点鎖線および図８に示すように、まず、カラー３０に固定ボルト５０のねじ部５１を貫通させる。カラー３０を貫通した固定ボルト５０を緩衝材２０に設けられた取付孔２３内に挿入してカラー３０を取付孔２３内に嵌挿させると共に、ねじ部５１を外側デッキ材１３および第１の内側デッキ材１４に設けられた貫通孔１８を介して受け座４０の固定用ねじ孔４１にねじ結合して上架台１１および下架台１２と緩衝材２０とを締結固定する（図２（ｂ）参照）。
【００３２】
なお、上記緩衝材２０の取付孔２３へのカラー３０の挿入（嵌挿）を容易にするために、例えば、図９Ａ（ａ）に示すように、取付孔２３の内径をカラー３０の外径より大きく形成し、取付孔２３の内周面に適宜間隔をおいてカラー３０の外周面に接触する複数の突条２４を設けるか、あるいは、図９Ａ（ｂ）に示すように、取付孔２３の内径をカラー３０の外径より大きく形成し、カラー３０の外周面に適宜間隔をおいて取付孔２３の内周面に接触する複数の突条２４Ａを設けるようにしてもよい。また、図９Ｂ（ａ）に示すように、取付孔２３の開口端に拡径テーパ部２５を設けるようにしてもよい。
【００３３】
また、上記実施形態の取付孔２３とカラー３０に代えて、図９Ｂ（ｂ）に示すように、取付孔２３の開口端に拡径段部２３ａを形成し、カラー３０の一端に、拡径段部２３ａ内に嵌挿される鍔部３１を形成することにより、固定ボルト５０の締結時に緩衝材２０が損傷を受けるのを防止することができる。
【００３４】
上記のように構成される実施形態の制振パレットによれば、緩衝材２０の外向きフランジ２２に設けられた取付孔２３にアルミニウム製カラー３０を嵌挿した状態で固定ボルト５０によって緩衝材２０と上架台１１および下架台１２とを締結固定することができるので、上架台１１および下架台１２と緩衝材２０との取付（組付け）を容易にすると共に、取付部（組付け部）に強度を持たせることができる。
【００３５】
また、上架台１１および下架台１２を構成する外側デッキ材１３、第１の内側デッキ材１４および第２の内側デッキ材１５アルミニウム製の中空押出形材にて形成されているので、上架台１１および下架台１２を軽量にすることができると共に、パレットの軽量化が図れる。
【００３６】
また、上架台１１および下架台１２に耐食性を持たせることができると共に、上架台１１および下架台１２と緩衝材２０の取付部に耐食性を持たせることができるので、パレットに耐食性を持たせることができると共に、寿命の増大を図ることができる。
【００３７】
更に、受け座４０に設けた開口孔４３と緩衝材２０の筒状本体２１の開口部２１ａとを空気流通孔４４を介して連通することにより、緩衝材２０が弾性変形する際の緩衝材２０の筒状本体２１内と外側デッキ材１３および第１の内側デッキ材１４の中空部１６内の空気の出入りを可能にすることができ、緩衝材２０にクッション性を持たせることができる。したがって、緩衝材２０の弾性変形に伴う防振効果を高めることができる。
【００３８】
図１０はこの発明に係る制振パネルの別の実施形態の要部を示す拡大断面図である。図１０に示す制振パレットは、上記受け座４０に緩衝材２０の筒状本体２１の開口部２１ａと連通可能な開口部２１ａと同径のセンター孔４３Ａ（以下に開口孔４３Ａという）を設け、外側デッキ材１３および第１の内側デッキ材１４における緩衝材２０と受け座４０との間における部分に開口部２１ａと開口孔４３Ａとを連通する複数の空気流通孔４４を設けてなる。
【００３９】
このように構成することにより、複数の空気流通孔４４によって緩衝材２０が弾性変形する際の緩衝材２０の筒状本体２１内と外側デッキ材１３および第１の内側デッキ材１４の中空部１６内の空気の出入りを可能にすることができ、緩衝材２０にクッション性を持たせることができる。したがって、緩衝材２０の弾性変形に伴う防振効果を更に高めることができる。
【００４０】
なお、上記実施形態では、緩衝材２０を上架台１１および下架台１２を構成する一つの第１の内側デッキ材１４に取り付ける場合について説明したが、第２の内側デッキ材１５に代えて第１の内側デッキ材１４を複数個設けて、各第１の内側デッキ材１４に同様に緩衝材２０を取り付けるようにしてもよい。つまり、外側デッキ材１３に連結される少なくとも一つの第１の内側デッキ材１４とを断面中空矩形状の形材にて形成し、外側デッキ材１３および第１の内側デッキ材１４の中空部１６内に固定ボルト５０がねじ結合する受け座４０を配置してもよい。
【符号の説明】
【００４１】
１１  上架台
１２  下架台
１３  外側デッキ材
１４  第１の内側デッキ材
１５  第２の内側デッキ材
１６  中空部
２０  緩衝材
２１  筒状本体
２１ａ  開口部
２２  外向きフランジ
２３  取付孔
３０  カラー
４０  受け座
４１  ねじ孔
４３，４３Ａ  開口孔
４４  空気流通孔
５０  固定ボルト（固定ねじ部材）
ｓ  隙間
【図１】
0005871699.tif 000002
【図２】
0005871699.tif 000003
【図３】
0005871699.tif 000004
【図４】
0005871699.tif 000005
【図５】
0005871699.tif 000006
【図６】
0005871699.tif 000007
【図７】
0005871699.tif 000008
【図８】
0005871699.tif 000009
【図９Ａ】
0005871699.tif 000010
【図９Ｂ】
0005871699.tif 000011
【図１０】
0005871699.tif 000012